(57)【特許請求の範囲】
【請求項１】
放射能汚染された骨材を結合材で結合した中心部材と、中心部材の外側に中心部材から発する放射線を遮蔽する、放射能汚染されていない骨材を結合材で結合した外装部材を設けた波消し構造物の製造方法であって、
中心部材に宙吊り部材を設けて、宙吊りにした中心部材の外側に空隙を有して外装部材型枠を設け、空隙に放射能汚染されていない骨材と結合材を流して外装部材を形成し、外装部材の天井面に骨材充填口を有した蓋を設けることを特徴とする、波消し構造物の製造方法。
【請求項２】
放射線を遮蔽する被覆材で中心部材をコーティングしたことを特徴とする、
請求項１記載の波消し構造物の製造方法。
【発明の詳細な説明】
【技術分野】
【０００１】
本発明は放射能汚染骨材を中心部に活用し、その外装部材を汚染されていない骨材で構成し、放射能を遮蔽する二重構造波消し構造物の製造方法に関するものである。
【背景技術】
【０００２】
従来の波消し構造物は、その骨材を含む全てが放射線量の基準値以下で作られている。
従来の波消し構造物の一つであるテトラポッド(登録商標)の内核ブロックに、ゴミ廃棄物の最終処理として、ゴミ焼却灰にニッケル、コバルトなどを成分とする骨材を配合したものを利用し、その外側に通常の被覆をするものもある。（例えば、特許文献１参照）。
【０００３】
屋内の壁や天井、床、屋外のコンクリートやモルタル、金属にも塗工出来る放射線を遮蔽できる塗料もある。（例えば、非特許文献１参照）。
【先行技術文献】
【特許文献】
【０００４】
【特許文献１】特開平７−１００８２０号  公報
【非特許文献】
【０００５】
【非特許文献１】放射線遮蔽塗料ガンマシールド(登録商標)カタログ  Ｐ１〜３
【発明の概要】
【発明が解決しようとする課題】
【０００６】
上述のような従来の波消し構造物に使用する骨材及び波消し構造物は以下の問題がある。すなわち、東日本大震災の様な大震災における被災地周辺の放射能汚染された建物基礎のコンクリートを撤去する際に発生する破砕コンクリート、及び野積みにされていて放射能汚染された砂、砂利等の骨材は、廃棄物規制に引っかかり、処分方法、保管場所の選定、保管期間において一次保管場所、二次保管場所選定の目処が立たず、工事が進まず復興再建が遅れており、しっかりした処分方法を確立せねばならない状況である。一方で、次の津波対策に備え、今までにもました広範囲な海岸線の被災地の防災に大型、かつ、数量の大規模な波消し構造物の製作が急がれる。以上から、放射能汚染された骨材の処分、保管及び波消し構造物製作の問題を解決する、放射能汚染された骨材を用いた波消し構造物及びその製造方法を提供することが課題である。
【課題を解決するための手段】
【０００７】
前記課題を解決するために、本発明は以下の手段を有する。
【０００８】
放射能汚染された骨材を結合材で結合した中心部材と、中心部材の外側に中心部材から発する放射線を遮蔽する、放射能汚染されていない骨材を結合材で結合した外装部材を設けた波消し構造物を対象とすることを特徴とする。
【０００９】
放射線を遮蔽する被覆材で中心部材をコーティングした波消し構造物を対象とすることを特徴とする。
【００１０】
中心部材に宙吊り部材を設けて、宙吊りにした中心部材の外側に空隙を有して外装部材型枠を設け、空隙に放射能汚染されていない骨材と結合材を流して外装部材を形成し、外装部材の天井面に骨材充填口を有した蓋を設けて製造することを特徴とする。
【発明の効果】
【００１１】
本発明の請求項１に係る波消し構造物の製造方法によれば、放射能を遮蔽する外装部材を設けたことにより、建物基礎のコンクリートを撤去する際に発生する破砕コンクリート及び野積みにされていて放射能汚染された砂、砂利等の骨材を中心部材に使用した波消し構造物を提供することが可能となる。よって、放射能汚染された骨材の処分、保管及び波消し構造物製作の問題を解決できる。
【００１２】
本発明の請求項２に係る波消し構造物の製造方法によれば、放射能を遮蔽する被覆材で中心部材をコーティングすることにより、更に放射能の遮蔽が出来て中心部材に放射能汚染された骨材を多く使用した波消し構造物を提供することが可能となる。
【００１３】
本発明の請求項１及び２に係る波消し構造物の製造方法によれば、宙吊り部材、外装部材型枠及び蓋を設けることにより、大型の波消し構造物を製造することが出来る。
【００１４】
以上から、本発明に係る波消し構造物の製造方法によれば、放射能汚染された骨材を用いた波消し構造物を提供することが出来る。かつ、放射能汚染された骨材を多く使用した波消し構造物や、大型の波消し構造物を提供することが出来る。
かつ、東日本大震災の復旧で発生した放射能汚染された骨材の利用促進、波消し構造物の製作による雇用創出、東日本大震災と同等と推定される東南海地震等の津波対策の海岸線の防災として活用出来る。
【図面の簡単な説明】
【００１５】
【図１】本発明の請求項１に係るテトラポッド(登録商標)の例の全体半断面図である。
【図２】本発明の請求項１に係るケーソンの例の正面半断面図である。
【図３】本発明の請求項１に係るケーソンの例の側面半断面図である。
【図４】本発明の請求項２に係るテトラポッド(登録商標)の例の全体半断面図である。
【図５】本発明の請求項２に係るケーソンの例の正面半断面図である。
【図６】本発明の請求項２に係るケーソンの例の側面半断面図である。
【発明を実施するための形態】
【００１６】
以下、本発明の形態を図１〜図６に基づいて説明する。
【００１７】
請求項１に係る波消し構造物の製造方法の、対象とする波消し構造物を図１〜３を用いて説明する。図１〜３に示すように放射能汚染された骨材を結合材で結合した中心部材１と、中心部材１の外側に中心部材１から発する放射線を遮蔽する、放射能汚染されていない骨材を結合材で結合した外装部材３を設けた波消し構造物である。具体例としては、図１に示すテトラポッド（登録商標）、図２及び３に示すケーソンがある。後述の段落番号００１９に記載のように、請求項１に係る波消し構造物の製造方法によれば、放射能を遮蔽する外装部材を設けたことにより、建物基礎のコンクリートを撤去する際に発生する破砕コンクリート及び野積みにされていて放射能汚染された砂、砂利等の骨材を中心部材に使用した波消し構造物を提供することが可能となる。よって、放射能汚染された骨材の処分、保管及び波消し構造物製作の問題を解決できる。
【００１８】
請求項２に係る波消し構造物の製造方法の、対象とする波消し構造物を図４〜６を用いて説明する。図４〜６に示すように放射線を遮蔽する被覆材７で中心部材１をコーティングした波消し構造物である。後述の段落番号００１９に記載のように、請求項２に係る波消し構造物の製造方法によれば、放射能を遮蔽する被覆材で中心部材をコーティングすることにより、更に放射能の遮蔽が出来て中心部材に放射能汚染された骨材を多く使用した波消し構造物を提供することが可能となる。
【００１９】
請求項１及び２に係る波消し構造物の製造方法を図１〜６を用いて説明する。中心部材１に宙吊り部材５を設けて、宙吊りにした中心部材１の外側に空隙を有して外装部材型枠２を設け、空隙に放射能汚染されていない骨材と結合材を流して外装部材３を形成し、外装部材３の天井面に骨材充填口６を有した蓋４を設けることを特徴とする波消し構造物の製造方法である。骨材充填口６より、汚染されていない骨材と結合材を追加充填することが可能である。上記から請求項１及び２に係る波消し構造物の製造方法によれば、宙吊り部材、外装部材型枠及び蓋を設けることにより、大型の波消し構造物を製造することが出来る。
【００２０】
以上から、本発明に係る波消し構造物の製造方法によれば、放射能汚染された骨材を用いた波消し構造物を提供することが出来る。かつ、放射能汚染された骨材を多く使用した波消し構造物や、大型の波消し構造物を提供することが出来る。
かつ、東日本大震災の復旧で発生した放射能汚染された骨材の利用促進、波消し構造物の製作による雇用創出、東日本大震災と同等と推定される東南海地震等の津波対策の海岸線の防災として活用出来る。
【符号の説明】
【００２１】
１    中心部材
２    外装部材型枠   
３    外装部材
４    蓋
５    宙吊り部材
６    骨材充填口
７    被覆材
【要約】 
【課題】  東日本大震災の様な大震災における被災地周辺の放射能汚染された建物基礎
のコンクリートを撤去する際に発生する破砕コンクリート、及び野積みにされていて放射能汚染された砂、砂利などの骨材の処分方法、保管及び波消し構造物製作の問題を解決する、放射能汚染された骨材を用いた波消し構造物及びその製造方法を提供することが課題である。
【解決手段】  放射能汚染された骨材を結合材で結合した中心部材１と、その外側の外装部材型枠２の空隙に中心部材１から発する放射線を遮蔽する、放射能汚染されていない骨材を結合材で結合した外装部材３を設け残りの上部に蓋4を取り付け、骨材充填口6よ
り、汚染されていない骨材と結合材を追加充填することを特徴とする波消し構造物。
【選択図】図１【図１】
0005387932.tif 000002
【図２】
0005387932.tif 000003
【図３】
0005387932.tif 000004
【図４】
0005387932.tif 000005
【図５】
0005387932.tif 000006
【図６】
0005387932.tif 000007